【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
円錐面状で拡開する拡開面を有する締付座の前記拡開面が縮閉する側の中心にねじ軸が設けられた固定ねじ部材と、
前記締付座の外径よりも小さい内径の貫通孔に前記ねじ軸が移動可能に挿入される拡径可能な円筒状スペーサと、からなり、
前記締付座の外径よりも小さい内径で、前記円筒状スペーサを挿通可能な挿通孔が設けられた固定部材を被固定部材に固定する固定具であって、
前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させ、前記固定部材の挿通孔を貫通した前記円筒状スペーサの、前記固定部材側の一端を前記締付座の拡開面で拡径させながら前記締付座の一部分を前記円筒状スペーサの貫通孔内に進入させて、この円筒状スペーサの一端と前記締付座とで前記固定部材を挟持することにより、前記被固定部材に対して前記固定部材を前記円筒状スペーサの長さの距離だけ離して固定する、
ことを特徴とする固定具。
【請求項２】
円錐面状で拡開する拡開面を有する締付座の前記拡開面が縮閉する側の中心にねじ軸が設けられた固定ねじ部材と、
前記締付座の外径よりも小さい内径の貫通孔に前記ねじ軸が移動可能に挿入される拡径可能な円筒状スペーサと、
前記締付座の外径よりも小さい内径で、前記円筒状スペーサを挿通可能な挿通孔が設けられた固定部材と、
を用いて被固定部材に対して前記固定部材を固定する固定部材の固定方法であって、
前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離だけ離して固定する、
ことを特徴とする固定部材の固定方法。
【請求項３】
円錐面状で拡開する拡開面を有する締付座の前記拡開面が縮閉する側の中心にねじ軸が設けられた固定ねじ部材と、
前記締付座の外径よりも小さい内径の貫通孔に前記ねじ軸が移動可能に挿入される拡径可能な円筒状スペーサと、
前記締付座の拡開面と同じ円錐面状で縮閉する縮閉面の縮閉端に、前記締付座の外径よりも小さい内径で、前記円筒状スペーサを挿通可能な挿通孔が設けられた固定部材と、
を用いて被固定部材に対して前記固定部材を固定する固定部材の固定方法であって、
前記被固定部材と対向する前記固定部材の挿通孔に前記縮閉面の大径側から、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離だけ離して固定する、
ことを特徴とする固定部材の固定方法。
【請求項４】
請求項２又は請求項３に記載の固定部材の固定方法において、
前記ねじ軸が木工用ねじ軸、タッピング用ねじ軸またはドリル用ねじ軸のいずれかである、
ことを特徴とする固定部材の固定方法。
【手続補正２】
【補正対象書類名】明細書
【補正対象項目名】発明の名称
【補正方法】変更
【補正の内容】
【発明の名称】固定具および固定部材の固定方法
【手続補正３】
【補正対象書類名】明細書
【補正対象項目名】０００１
【補正方法】変更
【補正の内容】
【０００１】
この発明は、被固定部材に対して固定部材を円筒状スペーサの長さの距離離して固定することのできる固定具および固定部材の固定方法に関するものである。
【手続補正４】
【補正対象書類名】明細書
【補正対象項目名】０００５
【補正方法】変更
【補正の内容】
【０００５】
この発明は、上記したような不都合を解消するためになされたもので、被固定部材に対して固定部材を円筒状スペーサの長さの距離離して固定する作業を作業性よく行えるとともに、簡便に行うことのできる固定具および固定部材の固定方法を提供するものである。
【手続補正５】
【補正対象書類名】明細書
【補正対象項目名】０００６
【補正方法】変更
【補正の内容】
【０００６】
この発明は、以下のような発明である。
（１）円錐面状で拡開する拡開面を有する締付座の前記拡開面が縮閉する側の中心にねじ軸が設けられた固定ねじ部材と、前記締付座の外径よりも小さい内径の貫通孔に前記ねじ軸が移動可能に挿入される拡径可能な円筒状スペーサと、からなり、前記締付座の外径よりも小さい内径で、前記円筒状スペーサを挿通可能な挿通孔が設けられた固定部材を被固定部材に固定する固定具であって、前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させ、前記固定部材の挿通孔を貫通した前記円筒状スペーサの、前記固定部材側の一端を前記締付座の拡開面で拡径させながら前記締付座の一部分を前記円筒状スペーサの貫通孔内に進入させて、この円筒状スペーサの一端と前記締付座とで前記固定部材を挟持することにより、前記被固定部材に対して前記固定部材を前記円筒状スペーサの長さの距離だけ離して固定することを特徴とする固定具である。
（２）円錐面状で拡開する拡開面を有する締付座の前記拡開面が縮閉する側の中心にねじ軸が設けられた固定ねじ部材と、前記締付座の外径よりも小さい内径の貫通孔に前記ねじ軸が移動可能に挿入される拡径可能な円筒状スペーサと、前記締付座の外径よりも小さい内径で、前記円筒状スペーサを挿通可能な挿通孔が設けられた固定部材とを用いて被固定部材に対して前記固定部材を固定する固定部材の固定方法であって、前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離だけ離して固定することを特徴とする固定部材の固定方法。
（３）円錐面状で拡開する拡開面を有する締付座の前記拡開面が縮閉する側の中心にねじ軸が設けられた固定ねじ部材と、前記締付座の外径よりも小さい内径の貫通孔に前記ねじ軸が移動可能に挿入される拡径可能な円筒状スペーサと、前記締付座の拡開面と同じ円錐面状で縮閉する縮閉面の縮閉端に、前記締付座の外径よりも小さい内径で、前記円筒状スペーサを挿通可能な挿通孔が設けられた固定部材とを用いて被固定部材に対して前記固定部材を固定する固定部材の固定方法であって、前記被固定部材と対向する前記固定部材の挿通孔に前記縮閉面の大径側から、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離だけ離して固定することを特徴とする固定部材の固定方法である。
（４）（２）または（３）に記載の固定部材の固定方法において、前記ねじ軸が木工用ねじ軸、タッピング用ねじ軸またはドリル用ねじ軸のいずれかであることを特徴とする。